(57)【要約】信号に依存するゲインステージを含むマルチレート・モバイル機器送信機において、Ｔｘパワーを調整する方法および装置。送信信号に対応するデータレート・信号フォーマット指示信号および所望の基準パワー信号を、アンテナにおける所望の基準パワーレベルに基づく校正値を出力するマッパに送る。マッピングはデータレート・信号フォーマット信号に依存するゲインに付随する既知の非線形性を反映する。校正値により、パワーアンプゲイン特性を実時間において制御する。
2006505202.tif 000002
【特許請求の範囲】
【請求項１】
無線信号を送信するモバイル機器であって、該モバイル機器は、
データレートおよび信号フォーマットを有する信号を生成するフレーム生成器と、
所望の基準パワーレベルを生成する基準電源と、
信号に依存するゲインを表す少なくとも１つのステージを有するアンプを有する無線送信機であって、該アンプは、該生成した信号を受け取り、受け取ったアンプ制御信号に応じて該受け取った信号を増幅し、該信号に依存するゲインを表す少なくとも１つのステージを補償する、無線送信機と、
該フレーム生成器から、該生成した信号に付随する該データレートおよび信号フォーマットを受け取り、該所望の基準パワーレベルを該基準電源から受け取り、該所望の基準パワーレベル、該データレートおよび信号フォーマットを、該信号に依存するゲインを表す少なくとも１つのステージに付随する既知の非線形性に応じて、アンプ制御信号値にマッピングし、該マッピングしたアンプ制御信号値に応じて該アンプ制御信号を生成するアンプ制御器と
を備える、モバイル機器。
【請求項２】
前記アンプ制御器が、前記所望の基準パワーレベル、前記生成した信号に付随する前記データレートおよび信号フォーマット、並びに、前記信号に依存するゲインを表す少なくとも１つのアンプステージに付随する既知の非線形性を、増幅度にマッピングし、該増幅度を前記アンプ制御信号値にマッピングするマッパを備える、請求項１に記載のモバイル機器。
【請求項３】
前記生成した信号を前記フレーム生成器から受け取り、保持し、該保持した信号に対応する前記アンプ制御信号を前記アンプ制御器が生成するときに、該受け取った信号を前記アンプに提供する遅延バッファをさらに備える、請求項２に記載のモバイル機器。
【請求項４】
前記遅延バッファから前記バッファ信号を受け取り、該バッファ信号をアナログ表示に変換し、該アナログ表示を前記送信機に提供する第１のデジタル・アナログ変換器と、
前記アンプ制御器から前記アンプ制御信号を受け取り、該アンプ制御信号をアナログ表示に変換し、該アンプ制御信号の該アナログ表示を前記アンプに提供する第２のデジタル・アナログ変換器とをさらに備える、請求項３に記載のモバイル機器。
【請求項５】
前記アンプ制御器が、
前記データレートおよび信号フォーマットをフレーム生成器から受け取り、該データレートおよび信号フォーマットを、前もって校正した値に応じて、ゲイン調節値にマッピングする第１のマッパと、
該第１のマッパから該ゲイン調節値を受け取り、前記基準電源から前記所望の基準パワーレベルを受け取り、該所望の基準パワーレベルおよび該ゲイン調節値を、前記既知の非線形性に応じて前記アンプ調節信号値にマッピングする第２のマッパとを備える、請求項１に記載のモバイル機器。
【請求項６】
前記アンプ制御器が、前記第１のマッパからの前記ゲイン調節値と前記電源からの前記所望の基準パワーレベルとを加算し、その結果生じる信号を前記第２のマッパに提供する加算器を備える、請求項５に記載のモバイル機器。
【請求項７】
前記第１のマッパが、前記送信機における前記非線形性を反映する前もって校正したエントリーを有し、前記データレート・信号フォーマット指示信号に応じて前記ゲイン調節値を決定する参照テーブルを備え、前記第２のマッパが、該送信機における該非線形性を反映する前もって校正されたエントリーを有し、前記所望の基準パワーレベルおよび該ゲイン調節値に応じて前記アンプ制御信号値を決定する参照テーブルを備える、請求項５に記載のモバイル機器。
【請求項８】
前記アンプ制御器が、前記所望の基準パワーレベル、生成した信号に付随する前記データレートおよび前記信号フォーマット、並びに、前記送信機の既知の前記非線形性に応じて、増幅度を決定する参照テーブルを備える、請求項１に記載のモバイル機器。
【請求項９】
信号に依存するゲイン、アンプ制御器および基準電源を表す少なくとも１つのステージを有するアンプを有するモバイル機器において、生成した信号を増幅する方法であって、該方法は、
該生成した信号に付随するデータレート・信号フォーマット信号を受け取る工程と、
該データレート・信号フォーマット信号、前記所望の基準パワーレベル、および、前記信号に依存する既知のゲインに付随する非線形性に応じて、所望の増幅度を決定する工程と、
該所定の増幅度をアンプ制御信号値にマッピングする工程と、
該マッピングしたアンプ制御信号値に応じて、アンプ制御信号を生成する工程と、
該生成したアンプ制御信号に応じて該生成した信号を増幅し、該信号に依存するゲインを表す少なくとも１つのステージを補償する工程と
を包含する、方法。
【請求項１０】
前記増幅度を決定する前記工程が、前記データレート・信号フォーマット信号、前記所望の基準パワーレベル、および、前記信号に依存するゲインに付随する前記非線形性に応じてテーブル・ルックアップを行う工程を包含する、請求項９に記載の方法。
【請求項１１】
前記増幅度を決定する前記工程が、前記データレート・信号フォーマット信号および前記所望の基準パワーレベルに応じて、前記アンプにおける非線形性を反映する前もって校正したエントリーを有する複数の参照テーブルのうちの１つを選択し、該所望の基準パワーレベルに応じてテーブル・ルックアップを行う工程を包含する、請求項９に記載の方法。
【請求項１２】
前記増幅工程の前に、前記生成したアンプ制御信号をフィルタリングすることにより、前記増幅度の急激な変化を避ける工程をさらに包含する、請求項９に記載の方法。
【請求項１３】
信号に依存するゲイン、アンプ制御器および基準電源を表す少なくとも１つのステージを有するアンプを有するモバイル機器において、生成した信号を増幅する方法であって、該方法は、
該生成した信号に付随するデータレート・信号フォーマット信号を受け取る工程と、
該データレート・信号フォーマット信号に応じて、マッピングの配列からマッピングを選択する工程であって、該マッピングは該信号に依存するゲインに付随する既知の非線形性を反映する、工程と
該選択したマッピングを用いて、該基準電源から受け取る基準パワーレベルに応じて、アンプ制御信号値を決定する工程と、
該マッピングしたアンプ制御信号値に応じて、アンプ制御信号を生成する工程と、
該生成したアンプ制御信号に応じて該生成した信号を増幅し、該信号に依存するゲインを表す少なくとも１つのステージを補償する工程と
を包含する方法。
【発明の詳細な説明】
【技術分野】
【０００１】
本出願は、米国仮特許出願第６０／４２３，３５４号（２００２年１１月４日出願）の利益を主張し、これは本明細書中に参考として援用される。
【０００２】
本発明はパワー調節に関する。より詳しくは、本発明は無線送信システムにおけるパワー調節に関する。
【背景技術】
【０００３】
多くの無線通信規格では、無線リンクのみならずデータレートおよび信号フォーマット（すなわち、コーディングおよび変調方法）に依存する送信パワーを正確に調節する必要がある。例えばｃｄｍａ２０００では、リバースリンクにおける開ループおよび閉ループパワー制御といった、正確な送信（Ｔｘ）パワー制御に対する必要条件が規定されている。様々なコードチャンネル（例えば、パイロット、ＦＣＨ：ｆｕｎｄａｍｅｎｔａｌ  ｃｈａｎｎｅｌ；ＳＣＨ：ｓｕｐｐｌｅｍｅｎｔａｌ  ｃｈａｎｎｅｌ；ＤＣＣＨ：ｄｅｄｉｃａｔｅｄ  ｃｏｎｔｒｏｌ  ｃｈａｎｎｅｌ等）では、各々のデータレートおよび信号フォーマットに応じて、相対パワーに対する必要条件も規定されている。ｃｄｍａ２０００の送信パワーに対する必要条件に関するさらなる情報はＩＳ−２０００−２の第２．１．２節に記載されており、これは本明細書中に参考として援用される。このような必要条件はｃｄｍａ２０００に限られたものではない。他の多くの通信規格も、３ＧＰＰ  ＵＭＴＳおよび３ＧＰＰ２  １ｘＥＶＤＯといった同様の必要条件を有する。これらの必要条件を満たすために、ＡＧＣ制御特性非線形性といった障害のために、正確な校正および補償方法を実行する必要がある。この非線形性はゲイン制御特性であり、このゲイン制御特性は、ＡＧＣアンプに入力する制御電圧の関数としてのＡＧＣアンプゲインにおける非線形性として現れる。
【０００４】
さらなる変動源は、信号に依存するゲイン変動（信号パワーレベルに依存するゲイン変動および信号分布に依存するゲイン変動）であり、従来は補償されていない。信号に依存するゲイン変動の主な原因は、アンプの性質が純粋にＡ級でないこと、または他の機器、例えばミキサーが有する非線形性である。最も重要なのは、上記のような信号に依存するゲイン変動はパワーアンプ（ＰＡ）において観測されるが、ＰＡは高電力効率を必要とする。市販されている多くのＰＡでは、高電力効率を実現するために無線モバイル機器に対して自己バイアス・デザインを用いるが、バイアスの大きさは、入力信号強度（瞬時値またはエンベロープ強度のいずれか一方、または両方）に依存する。従って、入力レベルが変化することによりゲインが変化する。データレートまたは信号フォーマットの一方が変化することにより、信号分布（例えば、ピークと平均とのパワー比）に変動が生じる。このような変化により、一般的には上記のようなアンプの有効ゲインも変化する。
【０００５】
従って、信号に依存するゲイン変動を補償する方法および装置を提供することは望ましい。
【発明の開示】
【発明が解決しようとする課題】
【０００６】
本発明の目的は、所要のＴｘパワーを調節する従来の方法および装置が有する少なくとも１つの不利な点を、特にモバイル機器において除去または軽減することである。本発明のさらなる目的は、ゲインが信号の変動に依存するステージを含む送信機において、Ｔｘパワーを調節する方法および装置を提供することである。
【課題を解決するための手段】
【０００７】
本発明の第１の局面では、無線信号を送信するモバイル機器を提供する。このモバイル機器は、フレーム生成器、基準電源、無線送信機およびアンプ制御器を含む。このフレーム生成器は、データレートおよび信号フォーマットを有する信号を生成する。この基準電源は所望の基準パワーレベルを生成する。この無線送信機は、信号に依存するゲインを表す少なくとも１つのステージを有するアンプを有する。このアンプは、生成した信号を受け取り、受け取ったアンプ制御信号に応じて受け取った信号を増幅し、信号に依存するゲインを表す少なくとも１つのステージを補償する。このアンプ制御器は、生成した信号に付随するデータレートおよび信号フォーマットをフレーム生成器から受け取り、所望の基準パワーレベルを基準電源から受け取り、信号に依存するゲインを表す少なくとも１つのステージに付随する既知の非線形性に応じて、所望の基準パワーレベル、データレートおよび信号フォーマットをアンプ制御信号値にマッピングし、マッピングしたアンプ制御信号値に応じて、アンプ制御信号を生成する。
【０００８】
本発明の第２の局面では、信号に依存するゲインを表す少なくとも１つのステージを有するアンプ、アンプ制御器および基準電源を有するモバイル機器において、生成した信号を増幅する方法を提供する。この方法は、生成した信号に付随するデータレート・信号フォーマット信号を受け取る工程；データレート・信号フォーマット信号、所望の基準パワーレベル、および、信号に依存するゲインに付随する既知の非線形性に応じて、所望の増幅度を決定する工程；所定の増幅度をアンプ制御信号値にマッピングする工程；マッピングしたアンプ制御信号値に応じて、アンプ制御信号を生成する工程；および、生成したアンプ制御信号に応じて生成した信号を増幅し、信号に依存するゲインを表す少なくとも１つのステージを補償する工程を含む。
【０００９】
本発明の第３の局面では、信号に依存するゲインを表すステージを少なくとも１つ有するアンプ、アンプ制御器および基準電源を有するモバイル機器において、生成した信号を増幅する方法を提供する。この方法は、生成した信号に付随するデータレート・信号フォーマット信号を受け取る工程；データレート・信号フォーマット信号に応じてマッピング配列からマッピングを選択する工程であって、このマッピングは信号に依存するゲインに付随する既知の非線形性を反映する、工程；基準電源から受け取る基準パワーレベルに応じて、選択したマッピングを用いてアンプ制御信号値を決定する工程；マッピングしたアンプ制御信号値に応じて、アンプ制御信号を生成する工程；および、生成したアンプ制御信号に応じて生成した信号を増幅し、信号に依存するゲインを表す少なくとも１つのステージを補償する工程を含む。
【００１０】
本発明の他の局面および特徴は、添付の図と併せて本発明の特定の実施形態に対する以下の記載をレビューすることにより当業者に明らかになる。
【発明を実施するための最良の形態】
【００１１】
本発明の実施形態を以下に記載するが、一例として記載するに過ぎない。
【００１２】
本発明は、特にモバイル機器において送信（Ｔｘ）パワーを調節する方法および装置を提供する。本発明は、マルチプル・データレートおよび信号フォーマットに対応し、信号に依存するゲインステージ(利得段）を含むモバイル機器送信機において、Ｔｘパワーを調整する方法および装置を提供する。本明細書では、信号フォーマットはコーディングおよび変調方法を指す。
【００１３】
多くのパワーアンプにおいて、効率化のために自己バイアス・デザインを行う。この自己バイアスによりアンプに非線形性が生じる。この非線形性は信号に依存し、異なる信号レベルにおいてアンプのゲイン特性を変え、異なる信号分布はデータレートおよび信号フォーマットの変化に引き起こされる。従って、所望の基準パワーレベルと制御信号値の間のマッピングは、所望の増幅を生成し、所望のＴｘパワーを実現するために用いられるが、上記のような非線形性を表す増幅ステージに入力される信号レベルのみならず、増幅される信号のデータレートおよび信号フォーマットに伴い変わり得る。これらの非線形性はアンプに固有のものであり、アンプデザインおよび特定の製造プロセスの結果生じる。従って、同一のプロセスにより製造した２つの異なるアンプの非線形性が一致しないこともあり得る。
【００１４】
本明細書では、記載を簡略化するために送信機をシンプルなモデルにより記載する。送信機の詳細な局面の多くは本発明と直接は関連せず、当業者に良く知られているため、意図的に省略する。上記のような要素は、Ｉ−Ｑ変調、アップコンバージョンおよびフィルタリングを含む。本発明の議論では、送信機は２つのブロック、ＡＧＣアンプと信号に依存するゲイン変動を表す増幅ステージとによりかたどられる。この信号に依存するゲイン変動を有する増幅ステージは、一般的にはパワーアンプ（ＰＡ）であるが、ミキサーといった他の要素も含み得る。このことに構わず、信号に依存するゲイン変動の総量をゲイン増Ｇとしてモデル化する。
【００１５】
実例としてこの好適な実施形態の記載にｃｄｍａ２０００規格を用いるが、当業者には理解されるように、本発明は３ＧＰＰ  ＵＭＴＳおよび３ＧＰＰ２  １ｘＥＶＤＯを含む他の通信規格にも適用し得る。この目標を達成するために、本明細書では、「基準パワー」は無線通信規格が直接定める全送信パワーの特定の一部を指す。例えばＩＳ−２０００−２の場合において、本明細書における基準パワーは、ＲＣ１およびＲＣ２（ＲＣは「無線配置」を表す）に対しては全ゲートパワーを表し、ＲＣ３およびＲＣ３より上のＲＣに対してはパイロットチャンネルにおけるパワーの一部を表す。全パワーの他の部分がある場合には、全ての他の部分は基準パワーに関連して制御される。（例えば、ＦＣＨのデータレート９６００ｂｐｓにおけるパワーはＩＳ−２０００−２の初期値の基準パワーに対して＋３．７５ｄＢである）。
【００１６】
図１に示されるように、フレーム生成器１００は例えばデータエンコーダおよび変調器であるが、信号ｓを生成し、信号ｓは送信機１２０のアンプ１２４に送信される。ゲイン増Ｇを表す増幅ステージ（段）１２６は、ＡＧＣアンプ１２４に直列接続する。アンプ１２４はアンプ制御器１０５により制御され、ゲイン増Ｇ１２６の非線形性を軽減する。
【００１７】
送信信号は、制御信号ｙに応じてゲインをＡＧＣアンプ１２４により調節され、次いで、信号に依存するゲイン変動Ｇ１２６を表す増幅ステージ１２６に供給される。ゲイン増Ｇ１２６の値は、入力信号レベル、入力信号データレートおよび入力信号フォーマットに依存する。以下の記述では、温度、周波数およびバッテリー電圧に関連するゲイン変動といったゲイン変動の源を簡略化のために無視する。その代わりに、ＧおよびＧに強く関連する局面に議論を集中する。このＧはＡＧＣ制御特性であり、このＡＧＣ制御特性は、電圧制御したＡＧＣアンプ１２４の制御電圧の関数として、ＡＧＣアンプ１２４のゲインをｄＢ（デイベル）表示したものである。本明細書では、「基準信号」または「基準データレートおよび信号フォーマット」は校正手順に用いるデータレートおよび信号フォーマットを意味し、多くの場合、このデータレートおよび信号フォーマットは任意に選択される。
【００１８】
フレーム生成器１００はエンコードされ変調された信号フレームを生成し、この信号フレームは複数の対応しているデータレートのうちの１つのデータレートで送信される。このデータレートは時と共に変わり得る。出力信号ｓは、フレーム生成器により生成されるエンコードされ変調された信号フレームを含むが、出力信号ｓの総パワーは、全てのデータレートに対して同じ平均パワーレベルに規格化される。各コードチャンネルの相対パワーもデジタル手段により所望の値に正確に調節される。データレート・信号フォーマット指示信号ｒもフレーム生成器により同時に生成される。ある実施形態では、信号ｓとアンプ制御信号ｙとの間の時間アライメントを確保するために、遅延ブロック「τ」１１４を用いる。当業者には理解されるように、信号ｓと、対応するアンプ制御信号との時間アライメントが保たれる限り、遅延ブロック「τ」１１４は実装した遅延素子として存在しなくてもよい。遅延アライメントおよびＤ／Ａ１  １１６におけるデジタル・アナログ変換を行った後に、送信信号ｓは送信機１２０に送られる。送信される前に、信号ｓはＡＧＣアンプ１２４によりゲインを調節され、信号に依存するゲインＧ１２６の影響を受ける。
【００１９】
第２のデータ経路では、データレート・信号フォーマット指示信号ｒはフレーム生成器１００により供給され、アンプ制御器１０５の第１のマッパ１０６に受け取られる。第１のマッパ１０６はデータレート・信号フォーマットｒからゲイン調節量ｄ（ｒ）までのマッピングを含み、ゲイン調節量ｄ（ｒ）は、信号に依存するゲインＧ１２６の非線形性が十分に補償されることを確かめる校正プロセスを介して生成される。以下に、この校正プロセスをより詳しく議論する。調節ｄ（ｒ）は、ｄＢ値またはｄＢ値のスケール倍率（ｆａｃｔｏｒ）に比例する。選択した基準データレート（ｒｒｅｆと表す）に対して、値ｄ（ｒｒｅｆ）を０ｄＢにセットする。基準電源１０８は、アンテナにおいて期待されるｄＢｍ（または、ｄ（ｒ）と同じスケール倍率によるｄＢｍに比例する単位）における所望の基準パワーレベルｐを生成する。当業者には理解されるように、アンテナにおいて期待されるパワーのためのｐにおいて用いるスケール倍率に、ゲインオフセットのためのｄ（ｒ）において用いるスケール倍率と同じスケール倍率を確保することによりシステムをシンプルにし得る。ｃｄｍａ２０００規格のモバイル機器において、基準パワーレベルｐは、開ループおよび閉ループパワー制御システムの両方から派生する。基準パワーレベルｐのこの派生は当業者にはよく理解される。ｄ（ｒ）およびｐは第２のマッパ１１０に供給されるが、加算器１１２により結合された後であることが好ましい。第１のマッパ１０６の適切な校正により、ｄ（ｒ）とｐの加法結合に由来する値は、信号ｓの所望の増幅度と関連する。この値は第２のマッパ１１０に供給され、アンプ制御信号ｙをマッピングする。第２のマッパ１１０のマッピングテーブル値は、ＡＧＣアンプ１２４、信号に依存するゲイン変動１２６、および送信機１２０の他の要素に関する特定の実装情報を反映する校正手順により決定される。アンプ制御信号ｙはアンプ１２４の制御入力に供給されるが、ＡＧＣアンプ１２４の出力において信号ｓと結局はアライメントされることは好ましい。
【００２０】
好ましくは、信号ｓおよびアンプ制御信号ｙは、それぞれデジタル・アナログ変換器１１６およびデジタル・アナログ変換器１１８により、デジタル信号からそのデジタル信号のアナログ表示に変換される。アンプ制御信号ｙのアナログ表示は、ＬＰＦ１２２によるローパスフィルタリングされ得、アンプ１２４の制御をスムーズにする。次いで、ＡＧＣアンプ１２４は、スムーズ化したアンプ制御信号ｙ’（ｙのアナログ表示またはｙのアナログ表示のフィルターをかけたもの）に応じて、信号ｓのアナログ表示を増幅する。この増幅の結果、信号に依存するゲインＧ１２６を補償するように、信号ｓは増幅される。
【００２１】
第１のマッパ１０６および第２のマッパ１１０のマッピングテーブル値を校正する方法を以下に記載する。基準データレートおよび信号フォーマットを参照しながら、フレーム生成器１００により生成される基準信号を用いることにより、第２のマッパ１１０の出力値ｙは、ここに示す実施形態のシステムによって以下のように校正される。基準データレート・信号フォーマットｒｒｅｆに対して、値ｄ（ｒｒｅｆ）は０ｄＢに定められ、各所与の値ｐに対して、第２のマッパ１１０は、アンテナにおいて計測される送信基準パワーが期待値ｐになるように、ｐに相当する出力値ｙを調節する。値ｙが決定されるこの方法により、送信機における非線形関係、すなわちアンプ制御信号ｙの値の関数としてのアンプ１２４のゲインのｄＢ表示、および入力信号レベルの関数としてのＧ１２６の変動を、この校正のための入力信号が選択された基準データレートおよび信号フォーマットである場合には、補償済みであることに留意されたい。例えばＩＳ−２０００−２においてＲＣ１を基準信号として選択する場合には、基準パワーは全ゲートオン送信パワーである。第２のマッパに格納される校正された値ｙにより、基準電源１０８に生成されるすべての値ｐに対して、アンテナにおいて期待する全送信パワーｐが得られる。
【００２２】
第１のマッパ１０６の出力ｄ（ｒ）は、好ましくは以下のように校正される。すなわち、モバイル機器が対応する各データレートおよび信号フォーマットｒに対して、およびあらかじめ選択したｐの値に対して、アンテナにおいて計測されるデータレートｒに対する送信出力基準パワーがｐであるように値ｄ（ｒ）は調節される。値ｄ（ｒ）を決定するこの方法により、ｄ（ｒ）が２つの部分から構成されることに留意されたい。第１の部分は、ｒとｒｒｅｆに同じ基準パワーが与えられる場合には、ｒとｒｒｅｆとの全送信パワーのｄＢ差を補償する。ｒおよびｒｒｅｆは、それぞれ電流、および基準データレート・信号フォーマットである。一般的には、この部分を規格に従い前もって計算することはできる。第２の部分は、データレート・信号フォーマットｒとｒｒｅｆとのＧ１２６のゲイン差を補償する。このゲイン差はｒとｒｒｅｆとの間の信号分布の変化により生じる。一般的には、第２の部分を前もって計算することはできないが、大きな場合には校正する必要がある。データレートおよび信号フォーマットが変化した場合には、常に適切なゲイン調節ｄ（ｒ）を同時に加える。これは、上述したように、２つの経路が遅延アライメントしているためである。上記の校正において、データレートおよび信号フォーマットの変化により生じるｄＢゲイン変動は、信号レベルの変化により生じるｄＢゲイン変動にほとんど依存しないことを想定しているが、これは関心のある動作の大部分において正しい。
【００２３】
信号レベルおよび信号分布が生じるゲイン変動が依存する場合には、図２に示す代替実施形態を用いて依存するゲイン変動を補償できる。図２を参照すると、第１のマッパ１０６はマッパの配列（アレイ）である。配列内のメンバマッパの選択にデータレート・信号フォーマット指示信号ｒを用いる。配列の各メンバマッパはｒに応じて選択されるが、基準電源１０８から所望の基準パワーレベルｐを受け取り、ｐおよびｒの値に応じて対応する出力値ｄ（ｒ，ｐ）にｐをマッピングする。ｐおよびｒのｄ（ｒ，ｐ）へのマッピングの後、加算器１１２においてｄ（ｒ，ｐ）を基準電源１０８からのｐと加法結合した後に、この結合した信号を第２のマッパ１１０に供給し、第２のマッパはｄ（ｒ，ｐ）およびｐの合計をアンプ制御信号ｙにマッピングする。この実施形態の他の局面は、好ましくは図１に示される実施形態と同じである。
【００２４】
第２のマッパ１１０を校正する方法も図１の実施形態と同じである。第２の実施形態において、各データレート・信号フォーマットｒに対して、第１のマッパ１０６に入力される所望の基準パワーレベルｐの各値に対してアンテナにおいて所望の基準パワーレベルｐが得られるように、マッパ１０６に格納される調節量ｄ（ｒ，ｐ）は校正される。
【００２５】
代わりに図３に示されるさらなる実施形態において、第１のマッパ１０６、第２のマッパ１１０および加算器１１２を取り除き、２つの入力を有する配列マッパ１１１に取り替える。第１の入力は、フレーム生成器１００により供給されるデータレート・信号フォーマット指示信号ｒである。第２の入力は基準電源１０８により供給される所望の基準パワーｐである。入力ｒは入力ｐをアンプ制御信号ｙの出力にマッピングする配列マッパ１１１のメンバマッパを選択する。他の局面は図１および図２の実施形態と同じである。各メンバマッパは、対応するｒに対して、基準電源１０８により供給されるすべての値ｐに対してアンテナにおいて正しい基準パワー値ｐを得るように校正された、マッピングテーブルを含む。
【００２６】
図４は本発明の実施形態による方法を示す。工程２００において、生成した信号ｓのデータレートおよび信号フォーマットを受け取る。工程２０２において、受け取った信号のデータレートおよび信号フォーマット、基準パワーレベル、および、アンプの非線形特性に応じて決定された前もって校正した値に応じて、所望の増幅度を決定する。次いで工程２０３において、この所望の増幅度はアンプ制御信号値にマッピングされる。この所望の増幅度のアンプ制御信号値へのマッピングは、好ましくは、アンプおよび送信機システムの特性を反映する前もって校正した値に応じて行われる。工程２０４において、工程２０３のマッピングに応じてアンプ制御信号が生成される。
【００２７】
図５は、本発明の実施形態による別の方法を示す。上述と同様に工程２００において、生成した信号のデータレートおよび信号フォーマットを受け取る。工程２０２において所望の増幅度を決定するが、工程２０２は、工程２０８に示すように所定のデータレートおよび信号フォーマットに応じてメンバマッピングテーブルを第１の選択することにより行われる。次いで工程２０９において、所望の基準パワーレベルを受け取り、所定のデータレートおよび信号フォーマットに相当する、アンプの非線形な信号に依存するゲイン特性を反映する前もって校正したゲイン調節値に、受け取られた基準パワーレベルをマッピングする。工程２１０において、前もって校正したゲイン調節値および基準パワーレベルに応じて増幅度を決定する。工程２０３において、所定の増幅度をアンプ制御信号値にマッピングする。工程２０４において、工程２０３のマッピングに応じてアンプ制御信号を生成する。
【００２８】
配列マッパ１１１を用いる実施形態に対する例示的な方法を図６に示す。工程２００において、生成した信号のデータレートおよび信号フォーマットを受け取る。工程２０２ａにおいて、所望の基準パワーレベルと共にこれらの値を用いて、同じ入力を用いて増幅度を以前に決定したのと同様に、アンプの非線性を説明するマッピングの配列から１つのマッピングを選択する。工程２０３ａにおいて、基準パワーレベルをアンプ制御値にマッピングするために、選択されたマッピングを用いる。工程２０４において、アンプ制御信号を生成するためにこのアンプ制御信号値を用いる。
【００２９】
上記の本明細書の実施形態は、例としてのみ意図される。当業者による特定の実施形態により、本発明の範囲から逸脱せずに、改変、変更および変形は行われ得るが、本発明の範囲は添付の請求項によってのみ定められる。
【産業上の利用可能性】
【００３０】
本発明は、モバイル機器におけるパワー調節の分野における利点を提供する。
【図面の簡単な説明】
【００３１】
【図１】本発明による送信システムの第１の実施形態のブロック図である。
【図２】本発明による送信システムの第２の実施形態のブロック図である。
【図３】本発明による送信システムの第３の実施形態のブロック図である。
【図４】本発明の実施形態による方法を示すフローチャートである。
【図５】本発明の実施形態によるさらなる方法を示すフローチャートである。
【図６】本発明の代替実施形態の方法を示すフローチャートである。
【図１】
2006505202.tif 000003
【図２】
2006505202.tif 000004
【図３】
2006505202.tif 000005
【図４】
2006505202.tif 000006
【図５】
2006505202.tif 000007
【図６】
2006505202.tif 000008
【国際調査報告】
2006505202.tif 000009
2006505202.tif 000010